(57)【特許請求の範囲】
【請求項１】
互いに間隔をあけて立設された一対の側板部と、該側板部同士を立設方向の一方側で接続する底板部と、前記一対の側板部及び前記底板部を、前記立設方向に交差する奥行方向の奥側から接続する背板部と、を有する本体部と、
前記一対の側板部における前記立設方向の他方側の端面と、少なくとも前記奥行方向の手前側で隙間をあけた状態で、該他方側から前記一対の側板部を覆って、前記本体部とともに前面開口部を形成する天板部と、
前記端面に各々設けられたレール部と、
前記レール部上に載置された状態で該レール部に対して摺動することで、前記端面と前記天板部との間に前記天板部の面に沿って配置される開放位置と、前記前面開口部を前記奥行方向の手前側から覆う閉塞位置との間で移動可能な開閉蓋部と、
を備え、
前記レール部は、
前記開閉蓋部が摺動し、前記立設方向の他方側に向かって前記端面から突出するとともに前記奥行方向に延び、かつ、前記立設方向及び前記奥行方向に交差する幅方向の寸法が前記端面よりも小さい突出板部と、前記端面における前記奥行方向の手前側の端部で前記立設方向の他方側に向かって突出する前側突出部と、
を有し、
前記開閉蓋部は、前記奥行方向の奥側の端部位置で、前記立設方向の一方側に向かって突出するとともに、前記閉塞位置で前記前側突出部に接触して係止される係止部を有し、
前記開放位置では前記開閉蓋部は前記突出板部及び前側突出部によって支持され、
前記開放位置から前記開閉蓋部を前記手前側に引き出した際、前記突出板部及び前記前側突出部に対して前記開閉蓋部が摺動し、
前記係止部の前記手前側の端部が、前記前側突出部に接触して係止されるとともに、前記係止部を中心として前記立設方向及び前記奥行方向に交差する幅方向に延びる仮想軸線回りに前記開閉蓋部が前記本体部に対して回動することで、前記閉塞位置に前記開閉蓋部が有る状態となる収納ケース。
【請求項２】
前記開閉蓋部は、前記奥行方向の奥側の端部位置で、前記立設方向の他方側に向かって凹むとともに、前記突出板部を前記奥行方向及び前記立設方向に交差する幅方向両側から挟み込む凹状部を有する請求項１に記載の収納ケース。
【請求項３】
前記レール部は、前記前側突出部よりも前記奥行方向の奥側で、前記端面から前記立設方向の他方側に向かって延び、かつ、前記開放位置で前記係止部が接触して係止される段差面を有する請求項１又は２に記載の収納ケース。
【請求項４】
互いに間隔をあけて立設された一対の側板部と、該側板部同士を立設方向の一方側で接続する底板部と、前記一対の側板部及び前記底板部を、前記立設方向に交差する奥行方向の奥側から接続する背板部と、を有する本体部と、
前記一対の側板部における前記立設方向の他方側の端面と、少なくとも前記奥行方向の手前側で隙間をあけた状態で、該他方側から前記一対の側板部を覆って、前記本体部とともに前面開口部を形成する天板部と、
前記端面に各々設けられたレール部と、
前記レール部上に載置された状態で該レール部に対して摺動することで、前記端面と前記天板部との間に前記天板部の面に沿って配置される開放位置と、前記前面開口部を前記奥行方向の手前側から覆う閉塞位置との間で移動可能な開閉蓋部と、
を備え、
前記天板部は、前記立設方向の一方側の面に設けられて前記開閉蓋部を支持する支持部を有するとともに前記本体部に対して着脱可能となっており、前記天板部における前記立設方向の他方側の面には、前記一方側に向かって凹むとともに、前記開閉蓋部を収容可能な窪み部が形成されている収納ケース。
【請求項５】
前記一対の側板部は、前記奥行方向の手前側を向く面として、前記立設方向の一方側から他方側に向かうに従って前記奥行方向の手前側から奥側に向かって傾斜して形成されている傾斜面を有し、
前記開閉蓋部は、前記閉塞位置で前記傾斜面に接触して保持される請求項１から４のいずれか一項に記載の収納ケース。
【発明の詳細な説明】
【技術分野】
【０００１】
本発明は、物品を収納する収納ケースに関する。
【背景技術】
【０００２】
従来から、例えば合成樹脂等からなり、内部に衣類や小物等の物品を収納可能な空間が画成された収納ケースが知られている。このような収納ケースの一例は、特許文献１に開示されている。
【０００３】
特許文献１には、箱形ケース体、及び箱形ケース体の開口部を開閉する蓋体から構成された収納ケースが開示されており、この収納ケースは、蓋体における前蓋部が箱形ケース体の開口部を開放した際に開放状態を維持できるように、蓋体における上蓋部によって前蓋部が係止される構造を有している。
【先行技術文献】
【特許文献】
【０００４】
【特許文献１】特開２０１４−９４７６１号公報
【発明の概要】
【発明が解決しようとする課題】
【０００５】
しかしながら、特許文献１に開示された蓋体の係止構造を用いると、蓋体が開口部を開放した状態で保持されている間、物品の出し入れに際して蓋体が邪魔になる可能性がある。さらに、単に蓋体が係止構造によって開放状態が維持されているため、物品の出し入れの最中に係止が解除されて蓋体が自動的に開口部を閉塞するように動作してしまうおそれがある。特に、長期間の使用に伴って係止構造が劣化した場合には、このような状況が起こり易くなってしまう。
【０００６】
本発明はこのような事情を考慮してなされたものであり、使用性を向上しつつ、耐久性に優れた収納ケースを提供することを目的とする。
【課題を解決するための手段】
【０００７】
上記課題を解決するため、本発明は以下の手段を採用している。
即ち、本発明の第一の態様に係る収納ケースは、互いに間隔をあけて立設された一対の側板部と、該側板部同士を立設方向の一方側で接続する底板部と、前記一対の側板部及び前記底板部を、前記立設方向に交差する奥行方向の奥側から接続する背板部と、を有する本体部と、前記一対の側板部における前記立設方向の他方側の端面と、少なくとも前記奥行方向の手前側で隙間をあけた状態で、該他方側から前記一対の側板部を覆って、前記本体部とともに前面開口部を形成する天板部と、前記端面に各々設けられたレール部と、前記レール部上に載置された状態で該レール部に対して摺動することで、前記端面と前記天板部との間に前記天板部の面に沿って配置される開放位置と、前記前面開口部を前記奥行方向の手前側から覆う閉塞位置との間で移動可能な開閉蓋部と、を備え、前記レール部は、前記開閉蓋部が摺動し、前記立設方向の他方側に向かって前記端面から突出するとともに前記奥行方向に延び、かつ、前記立設方向及び前記奥行方向に交差する幅方向の寸法が前記端面よりも小さい突出板部と、前記端面における前記奥行方向の手前側の端部で前記立設方向の他方側に向かって突出する前側突出部と、を有し、前記開閉蓋部は、前記奥行方向の奥側の端部位置で、前記立設方向の一方側に向かって突出するとともに、前記閉塞位置で前記前側突出部に接触して係止される係止部を有し、前記開放位置では前記開閉蓋部は前記突出板部及び前側突出部によって支持され、前記開放位置から前記開閉蓋部を前記手前側に引き出した際、前記突出板部及び前記前側突出部に対して前記開閉蓋部が摺動し、前記係止部の前記手前側の端部が、前記前側突出部に接触して係止されるとともに、前記係止部を中心として前記立設方向及び前記奥行方向に交差する幅方向に延びる仮想軸線回りに前記開閉蓋部が前記本体部に対して回動することで、前記閉塞位置に前記開閉蓋部が有る状態となる。
【０００８】
このような収納ケースによると、側板部に設けられたレール部上を開閉蓋部が摺動することによって前面開口部の開閉が行われる。このため、天板部や本体部に開閉蓋部を支持するような開閉構造を設けなくともよく、繰り返しの開閉動作が行われても構成部品の劣化を抑えることができる。
さらに、開閉蓋部が開放位置に有る状態では、開閉蓋部が天板部と側板部とに挟まれるようにして、天板部と側板部との隙間に収容されるようにして配置されるため、前面開口部から本体部の内部にアクセスする際に、開閉蓋部が邪魔になることがない。
また、開閉蓋部が閉塞位置に有る状態で、立設方向の一方側に向かって、即ち、側板部に向かって天板部に押圧力が作用した場合であっても、開閉蓋部が天板部に直接取り付けられて支持されていないので、天板部の撓み変形にともなって開閉蓋部が変形してしまうことがない。このため、前面開口部が勝手に開口してしまうことがない。
さらに、開閉蓋部を設置する際には、天板部を本体部に取り付ける前に、一対の側板部の端面上に立設方向から開閉蓋部を単に載置するのみでよい。このため、収納ケースの組み立てが容易である。
また、開閉蓋部が摺動する突出板部がレール部に設けられていることで、開閉蓋部が開放位置と閉塞位置との間で移動する際、開閉蓋部とレール部での摺動面積を小さくすることができるので、よりスムーズな開閉動作が可能となる。
また、レール部に前側突出部が設けられ、開閉蓋部に係止部が設けられていることで、開閉蓋部を閉塞位置にしっかりと保持でき、開閉蓋部の本体部からの脱落を抑制することができる。従って、さらに使用性を向上することができる。
【００１１】
また、本発明の第二の態様に係る収納ケースでは、上記第一の態様における前記開閉蓋部は、前記奥行方向の奥側の端部位置で、前記立設方向の他方側に向かって凹むとともに、前記突出板部を前記奥行方向及び前記立設方向に交差する幅方向両側から挟み込む凹状部を有していてもよい。
【００１２】
このように凹状部によってレール部における突出板部を挟み込むことで、開閉蓋部が開放位置と閉塞位置との間で移動する際、開閉蓋部の幅方向へのガタツキを抑えることができ、さらにスムーズな開閉動作が可能となる。
【００１５】
また、本発明の第三の態様に係る収納ケースでは、上記第一又は第二の態様における前記レール部は、前記前側突出部よりも前記奥行方向の奥側で、前記端面から前記立設方向の他方側に向かって延び、かつ、前記開放位置で前記係止部が接触して係止される段差面を有していてもよい。
【００１６】
このようにレール部として、係止部が係止される段差面が設けられていることで、開閉蓋部を開放位置にしっかりと保持できるため、さらに使用性を向上することができる。
【００１７】
また、本発明の第四の態様に係る収納ケースは、互いに間隔をあけて立設された一対の側板部と、該側板部同士を立設方向の一方側で接続する底板部と、前記一対の側板部及び前記底板部を、前記立設方向に交差する奥行方向の奥側から接続する背板部と、を有する本体部と、前記一対の側板部における前記立設方向の他方側の端面と、少なくとも前記奥行方向の手前側で隙間をあけた状態で、該他方側から前記一対の側板部を覆って、前記本体部とともに前面開口部を形成する天板部と、前記端面に各々設けられたレール部と、前記レール部上に載置された状態で該レール部に対して摺動することで、前記端面と前記天板部との間に前記天板部の面に沿って配置される開放位置と、前記前面開口部を前記奥行方向の手前側から覆う閉塞位置との間で移動可能な開閉蓋部と、を備え、前記天板部は、前記立設方向の一方側の面に設けられて前記開閉蓋部を支持する支持部を有するとともに前記本体部に対して着脱可能となっており、前記天板部における前記立設方向の他方側の面には、前記一方側に向かって凹むとともに、前記開閉蓋部を収容可能な窪み部が形成されている。
【００１８】
例えば輸送時や販売時に、天板部が本体部から取り外された状態で、天板部を複数重ねて配置することがある。ここで、天板部が支持部によって開閉蓋部を支持した状態でこれらの天板部及び開閉蓋部を複数積み重ねた場合であっても、天板部から開閉蓋部が突出する部分を窪み部内に収容することが可能となる。このため、天板部及び天板部に支持された開閉蓋部を複数積み重ねた場合と、天板部のみを複数積み重ねた場合とで同じ積層高さに抑えることが可能となり、省スペース化を図ることができる。
【００１９】
また、本発明の第五の態様に係る収納ケースでは、上記第一から第四のいずれかの態様における前記一対の側板部は、前記奥行方向の手前側を向く面として、前記立設方向の一方側から他方側に向かうに従って前記奥行方向の手前側から奥側に向かって傾斜して形成されている傾斜面を有し、前記開閉蓋部は、前記閉塞位置で前記傾斜面に接触して保持されてもよい。
【００２０】
このように、側板部の手前側を向く面が傾斜面に形成されていることで、立設方向が鉛直方向に沿うようにして収納ケースを載置した際に、閉塞位置では、重力によって開閉蓋部が傾斜面に押し付けられようにして保持できる。このため、自動的に開閉蓋部と側板部との間に隙間があき、開閉蓋部が前面開口部を開放してしまうことがなくなり、使用性をさらに向上することができる。
【発明の効果】
【００２１】
上記の収納ケースによると、本体部のレール部に載置されて摺動する開閉蓋部を採用することで、使用性を向上しつつ、耐久性の向上を図ることが可能となる。
【図面の簡単な説明】
【００２２】
【図１】本発明の実施形態に係るフラップボックスを示す全体斜視図である。
【図２】本発明の実施形態に係るフラップボックスを示す全体斜視図であって、天板部及び開閉蓋部を取り外した状態を示す図である。
【図３】本発明の実施形態に係るフラップボックスを示す正面図であって、天板部及び開閉蓋部を取り外した状態を示す図である。
【図４】本発明の実施形態に係るフラップボックスにおける開閉蓋部を示す図であって、（ａ）は側面図であり、（ｂ）は裏面から見た平面図であって（ａ）のＡ矢視図である。
【図５】本発明の実施形態に係るフラップボックスを示す側面図であって、（ａ）は、開閉蓋部が閉塞位置に有る状態を示す図であり、（ｂ）は、開閉蓋部が開放位置に有る状態を示す図である。
【図６】本発明の実施形態に係るフラップボックスにおける天板部を示す図であって、（ａ）は側面図であり、（ｂ）は裏面から見た平面図であって（ａ）のＢ矢視図である。
【図７】本発明の実施形態に係るフラップボックスにおける天板部に開閉蓋部を支持した状態で、これらを積層した様子を示す側面図である。
【図８】本発明の実施形態に係るフラップボックスにおける開閉蓋部の開閉動作の様子を示す模式図であって、（ａ）は開閉蓋部が開放位置に有る状態を示し、（ｂ）は開閉蓋部が開放位置から閉塞位置に向かう中間位置に有る状態を示し、（ｃ）は開閉蓋部が閉塞位置に有る状態を示す。
【発明を実施するための形態】
【００２３】
以下、本発明の実施形態に係るフラップボックス１（収納ケース）について説明する。
図１及び図２に示すように、フラップボックス１は、内部に物品等を収容する空間Ｓが画成された矩形箱状のボックス本体部２と、ボックス本体部２に取り付けられた天板部６及び開閉蓋部７と、ボックス本体部２に設けられて開閉蓋部７を支持可能なレール部１０とを備えている。
【００２４】
ボックス本体部２は、例えば樹脂によって成形されており、一対の側板部３と、これら側板部３と一体に設けられた底板部４及び背板部５とを有している。またボックス本体部２は、詳細について後述する天板部６とともに空間Ｓにアクセス可能な前面開口部ＯＰを形成している。
【００２５】
一対の側板部３は、間隔をあけて互いの表面が対向するようにして立設されている。
ここで、側板部３が立設される立設方向は、フラップボックス１が使用される際に上下方向Ｄ１に沿った方向となっている。
【００２６】
以下、一対の側板部３が並ぶ方向、即ち上下方向Ｄ１に直交する方向を幅方向Ｄ３とし、フラップボックス１が使用される状態、即ち立設方向が上下方向Ｄ１に一致した状態を基準にして説明する。そして、上下方向Ｄ１及び幅方向Ｄ３に直交する方向となるボックス本体部２の空間Ｓにアクセスする方向を奥行方向Ｄ２とする。
【００２７】
各々の側板部３は、上下方向Ｄ１の中途位置よりも上側に、奥行方向Ｄ２の手前側に突出するように形成された突出部３ｃを有している。この突出部３ｃにおける奥行方向Ｄ２手前側を向く面は、上方に向かうに従って奥行方向Ｄ２の手前側から奥側に向かって傾斜する傾斜面３ｄとなっている。
【００２８】
また、各々の側板部３における傾斜面３ｄには、幅方向Ｄ３の外側の端縁から手前側に突出し、傾斜面３ｄに沿って延びる薄板状の前面枠部３１が設けられている。各々の側板部３における前面枠部３１は、各々の側板部３の傾斜面３ｄの下端部で屈曲し、幅方向Ｄ３の内側に向かって互いに近接するとともに、これら前面枠部３１同士が接続されない位置までさらに延びている。
【００２９】
さらに、各々の側板部３には、上方を向く端面３ａの幅方向Ｄ３の外側の端縁から上方に突出し、端面３ａに沿って延びる上面枠部３２が設けられている。上面枠部３２は、奥行方向Ｄ２の手前側で前面枠部３１に接続されて前面枠部３１と一体に設けられている。
【００３０】
また、各々の側板部３には、幅方向Ｄ３の外側を向く面に、奥行方向Ｄ２の略中央の位置であって、下端から上下の中途位置まで広がるようにして凹む凹部３ｂが形成されている。
【００３１】
図２に示すように、底板部４は、一対の側板部３を下方で接続するように設けられている。
【００３２】
背板部５は、一対の側板部３を奥行方向Ｄ２の奥側で接続するように設けられている。この背板部５には、側板部３と同様に、奥行方向Ｄ２の奥側を向く面に、幅方向Ｄ３の略中央の位置であって、下端から上下の中途位置まで広がるようにして凹む凹部５ｂが形成されている。
【００３３】
さらに、背板部５には、上方を向く端面５ａにおける奥側の端縁から上方に突出し、端面５ａに沿って延びる上面枠部３３が設けられている。この上面枠部３３は、幅方向Ｄ３の両端で側板部３における上面枠部３２に接続されて一体に設けられている。
【００３４】
このようにして形成されたボックス本体部２では、一対の側板部３、底板部４、及び背板部５によって囲まれる部分が物品等を収容する空間Ｓとなっている。ここで、本実施形態では、図３に示すように、一対の側板部３は上方に向かうに従って、徐々に互いに幅方向Ｄ３に離間するように設けられており、これによりボックス本体部２に形成された空間Ｓが、尻すぼみ形状になっている。
【００３５】
図２に示すように、レール部１０は、各々の側板部３の端面３ａに形成された板状をなす突出板部１１と、端面３ａにおける奥行方向Ｄ２の手前側の端部位置で上方に突出する前側突出部１２と、前側突出部１２及び突出板部１１よりも奥側であって、奥行方向Ｄ２の中途位置で上方に延びる第一段差面１３及び第二段差面１４とを有している。
【００３６】
突出板部１１は、例えば樹脂によって形成されて板状をなし、側板部３と一体に各々の側板部３の端面３ａから上方に突出するとともに、端面３ａにおける手前側の端部から奥行方向Ｄ２の中途位置まで延びている。即ち、この突出板部１１の幅方向Ｄ３の寸法は、端面３ａよりも小さくなっている。
【００３７】
前側突出部１２は、例えば樹脂によって形成されて板状をなし、側板部３と一体に、端面３ａにおける手前側の端縁で傾斜面３ｄに接続されて上方に延び、表面が幅方向Ｄ３を向いている。また、この前側突出部１２の上端部は、突出板部１１の上端部と略同じ高さ位置に配置されている。
【００３８】
第一段差面１３は、突出板部１１の奥側で、側板部３の端面３ａから上方に向かって延び、表面が奥行方向Ｄ２の手前側を向く面である。そして、この第一段差面１３によって、奥行方向Ｄ２の中途位置で側板部３の端面３ａに段差が形成されている。
【００３９】
第二段差面１４は、第一段差面１３よりもさらに奥側で、側板部３の端面３ａから上方に向かって延び、表面が手前側を向く面である。そして、この第二段差面１４によって、奥行方向Ｄ２の中途位置で側板部３の端面３ａに段差が形成されている。
【００４０】
このように第一段差面１３及び第二段差面１４によって、側板部３の端面３ａには二つの段差が形成され、奥側に向かうに従って、端面３ａの上下方向Ｄ１の高さ位置が高くなっている。
【００４１】
なお、上記の突出板部１１、前側突出部１２、第一段差面１３、及び第二段差面１４は、少なくとも一方の側板部３の端面３ａに設けられていればよい。
【００４２】
図４（ａ）及び図４（ｂ）に示すように、開閉蓋部７は例えば樹脂によって形成されており、前面開口部ＯＰを開閉可能な本体板部２１と、本体板部２１における側板部３側を向く裏面２１ａに設けられた係止部２２及び凹状部２３とを有している。
【００４３】
また、図５（ａ）に示すように、開閉蓋部７は、前面開口部ＯＰを手前側から覆う閉塞位置Ｐ１と、図５（ｂ）に示すように側板部３と天板部６との間の隙間に天板部６の面に沿って配置される開放位置Ｐ２との間で移動可能となっている。
【００４４】
本体板部２１は、閉塞位置Ｐ１でボックス本体部２と天板部６とによって形成された前面開口部ＯＰを、奥行方向Ｄ２の手前側からちょうど覆うことが可能な大きさに形成されている。
【００４５】
以下、開閉蓋部７の説明では、開閉蓋部７が閉塞位置Ｐ１にある状態を基準にして、各方向について説明する。
本体板部２１には、幅方向Ｄ３の中央位置に奥行方向Ｄ２の手前側の端面から突出する把持部２４が形成されている。この把持部２４を把持することで、開閉蓋部７の開閉動作、即ち閉塞位置Ｐ１と開放位置Ｐ２との間の移動が可能となっている。
【００４６】
また本体板部２１には、幅方向Ｄ３の両端縁に沿って、それぞれの端縁から下方に向かって突出する板状をなす縁部突出部２５が設けられている。
【００４７】
係止部２２は、本体板部２１の裏面２１ａ（下方を向く面）における奥側、かつ幅方向Ｄ３の外側の端部に設けられて、側板部３に向かって突出するブロック状をなす部材である。
【００４８】
凹状部２３は、本実施形態では係止部２２と一体に設けられており、即ち、係止部２２が凹状部２３の機能を兼ねている。この凹状部２３には、側板部３から本体板部２１の裏面２１ａに向けて上方に凹むとともに、凹状部２３を奥行方向Ｄ２に貫通する溝２３ａが形成されている。そして、レール部１０に開閉蓋部７が載置されている状態では、凹状部２３の溝２３ａに突出板部１１が入り込む。
【００４９】
本実施形態では、凹状部２３は、一方（図４（ｂ）の紙面に向かって右側）の係止部２２のみに設けられているが、両方の係止部２２に設けられていてもよい。
【００５０】
図１及び図２に示すように、天板部６は、例えば樹脂によって形成されており、背板部５における上面枠部３３と、側板部３における上面枠部３２とに差し込まれるようにしてボックス本体部２に着脱可能に取り付けられる。これによって天板部６は、側板部３の上方を向く端面３ａとの間に隙間をあけた状態で側板部３を覆っている。本実施形態では、第二段差面１４よりも奥側の端面３ａが、天板部６の裏面６ａに接触するとともに、第二段差面１４よりも手間側の端面３ａは、裏面６ａと離間した状態となる。
【００５１】
そして、ボックス本体部２と天板部６とによって囲まれる部分が、上述した前面開口部ＯＰになっている。
【００５２】
また、図６（ａ）及び図６（ｂ）に示すように、天板部６は、裏面６ａに設けられて開閉蓋部７を支持可能な支持部４０を有している。
【００５３】
支持部４０としては、裏面６ａにおける奥側の端部、及び幅方向Ｄ３外側の端部に、幅方向Ｄ３に互いに離間して配置された一対の第一支持部４１と、第一支持部４１よりも手前側に、第一支持部４１に並んで配置された一対の第二支持部４２と、手前側の端部で、互いに幅方向Ｄ３に離間して配置された一対の第三支持部４３とが設けられている。
【００５４】
第一支持部４１と第二支持部４２とは略同一形状をなし、裏面６ａに沿って、この裏面６ａとの間に隙間をあけて延びている。この隙間に開閉蓋部７が挿入されて、裏面６ａとの間で開閉蓋部７を挟持することで開閉蓋部７を支持可能となっている（図７参照）。
【００５５】
第三支持部４３は、裏面６ａから突出し幅方向Ｄ３に延びる薄板状をなしており、開閉蓋部７の縁が接触して開閉蓋部７を支持するようになっている。
本実施形態の開閉蓋部７は、第一支持部４１と第三支持部４３とによって支持されるが、本実施形態よりも奥行方向Ｄ２の寸法が小さい開閉蓋部を第二支持部４２と第三支持部４３によって支持可能となっている。
【００５６】
また、天板部６には、奥行方向Ｄ２の両端位置で、幅方向Ｄ３外側を向く両端面に連続するように、これら端面からそれぞれ下方に突出する突出片４４が設けられている。この突出片４４は、各端面における奥行方向Ｄ２の手前側と奥側との位置で、互いに離間して設けられている。各々の突出片４４は、円弧の部分が天板部６の裏面６ａから下方に凸となるように突出する半円形状をなしている。
【００５７】
さらに天板部６には、幅方向Ｄ３外側を向く両端面に、それぞれ上端から上下方向Ｄ１の中途位置まで、幅方向Ｄ３に凹む半円形状をなす凹部４５が形成されている。
この凹部４５は、各端面における奥行方向Ｄ２の手前側と奥側との位置で互いに離間して形成されている。各々の凹部４５は、幅方向Ｄ３から見た際に下方に凸となる半円形状をなしている。そして、図７に示すように、複数の天板部６を重ねた状態で各突出片４４が、対応する凹部４５に嵌入されることで、複数の天板部６同士が固定される。
【００５８】
さらに、図１に示すように、天板部６には上方を向く表面に下方に向かって凹む窪み部６ｂが形成されている。
この窪み部６ｂには、図７に示すように、開閉蓋部７が天板部６の支持部４０によって支持された状態で複数の天板部６が上下に積層された際に、開閉蓋部７が天板部６から下方に突出する部分が下側に隣接する天板部６に収容可能となるような寸法に形成されている。即ち、開閉蓋部７を天板部６によって支持した状態でこれらを複数積み重ねた場合と、天板部６のみを複数積み重ねた場合とで、同じ積層高さとなる。
【００５９】
また、天板部６の表面には、図１に示すように、幅方向Ｄ３の両端部で奥行方向Ｄ２の奥側に寄った位置に、下方に向かって凹むとともに、窪み部６ｂに開口する一対の取手部６ｃが形成されている。
【００６０】
ここで、図８を参照して、開閉蓋部７の動作について詳しく説明する。
図８（ａ）に示すように、開閉蓋部７は、開放位置Ｐ２に有る状態で係止部２２における奥側の端部が第一段差面１３に接触することで、開閉蓋部７の第一段差面１３よりも奥側への移動が規制されている。
【００６１】
この状態では、開閉蓋部７における本体板部２１は、天板部６よりも手前側に突出しない状態で、天板部６の面に沿って配置され、下方から突出板部１１及び前側突出部１２によって支持されている。
【００６２】
この状態から、図８（ｂ）に示すように、例えば開閉蓋部７の把持部２４を把持して、手前側に引き出すことで、レール部１０の突出板部１１に対して開閉蓋部７の凹状部２３が摺動するとともに、レール部１０の前側突出部１２に対して開閉蓋部７の本体板部２１が摺動する。そして、開閉蓋部７の本体板部２１の手前側の部分が天板部６から突出し、中間位置Ｐ３に有る状態となる。
【００６３】
さらに開閉蓋部７を引き出すと、図８（ｃ）に示すように、係止部２２の手前側の端部が、レール部１０の前側突出部１２に接触して係止されるとともに、この係止部２２を中心として幅方向Ｄ３に延びる仮想軸線回りに開閉蓋部７がボックス本体部２に対して回動し、前面開口部ＯＰを手前側から覆うことで、閉塞位置Ｐ１に有る状態となる。
【００６４】
ここで、閉塞位置Ｐ１では、側板部３の傾斜面３ｄに開閉蓋部７の本体板部２１が接触して前面開口部ＯＰを密閉するようになっている。また、閉塞位置Ｐ１では、開閉蓋部７が側板部３に設けられた前面枠部３１に嵌り込むとともに、把持部２４が、各々の側板部３の前面枠部３１同士の間に嵌り込むようになっている（図１参照）。
【００６５】
以上説明したフラップボックス１によると、側板部３に設けられたレール部１０上に載置された開閉蓋部７が、レール部１０に対して摺動することによって、前面開口部ＯＰの開閉が行われる。このため、開閉蓋部７を、天板部６やボックス本体部２に支持するような開閉構造を設けなくともよく、繰り返しの開閉動作が行われても、構成部品の劣化を抑えることができる。
【００６６】
さらに、開閉蓋部７が開放位置Ｐ２に有る状態では、開閉蓋部７が天板部６と側板部３とに挟まれるようにしてこれらの隙間に収容されるようにして配置されるため、前面開口部ＯＰから空間Ｓ内にアクセスする際に、開閉蓋部７が邪魔になることがない。
【００６７】
また、本実施形態の場合は、開閉蓋部７が天板部６に直接接続されているものではない。このため、開閉蓋部７が閉塞位置Ｐ１に有る状態で、天板部６に下方に向かって、即ち側板部３に向かって押圧力が作用した場合であっても、天板部６の撓み変形にともなって開閉蓋部７が変形してしまうことがない。このため、前面開口部ＯＰが勝手に開口してしまうことがない。
【００６８】
さらに、開閉蓋部７を設置する際には、天板部６をボックス本体部２に取り付ける前に、一対の側板部３に上方から開閉蓋部７を単に載置するのみでよい。このため、フラップボックス１の組み立てが容易である。
【００６９】
また、側板部３には、幅方向Ｄ３の寸法が端面３ａよりも小さい突出板部１１がレール部１０として設けられていることで、開閉蓋部７が閉塞位置Ｐ１と開放位置Ｐ２との間で移動する際、開閉蓋部７の摺動面積を小さくすることができるので、よりスムーズな開閉動作が可能となる。
【００７０】
また、開閉蓋部７には凹状部２３が設けられて、溝２３ａがレール部１０の突出板部１１を挟み込むことで、開閉蓋部７が閉塞位置Ｐ１と開放位置Ｐ２との間で移動する際、開閉蓋部７の幅方向Ｄ３へのガタツキを抑えることができ、さらにスムーズな開閉動作が可能となる。
【００７１】
さらに、レール部１０に前側突出部１２が設けられ、開閉蓋部７に係止部２２が設けられていることで、開閉蓋部７を閉塞位置Ｐ１にしっかりと保持でき、開閉蓋部７のボックス本体部２からの脱落を抑制することができる。
【００７２】
また、前側突出部１２が設けられていることで、突出板部１１とともに開閉蓋部７の移動時に前側突出部１２によって開閉蓋部７を支持しつつ摺動させることができ、スムーズで安定した開閉動作を可能としている。従って、さらに使用性を向上することができる。
【００７３】
さらに、レール部１０として、係止部２２が係止される第一段差面１３が設けられていることで、開閉蓋部７を開放位置Ｐ２にしっかりと保持し、位置決めできるため、さらに使用性を向上することができる。
【００７４】
また、例えば輸送時や販売時に、図７に示すように、天板部６がボックス本体部２から取り外された状態で天板部６を複数重ねて配置することがある。この場合、天板部６が支持部４０によって開閉蓋部７を支持した状態で、これらの天板部６及び開閉蓋部７を複数積み重ねた場合であっても、上側の天板部６から開閉蓋部７が突出する部分を、下側の天板部の窪み部６ｂ内に収容することが可能となる。
【００７５】
このため、天板部６及び天板部６に支持された開閉蓋部７を複数積み重ねた場合と、天板部６のみを複数積み重ねた場合とで、同じ積層高さに抑えることが可能となり、省スペース化を図ることができる。
【００７６】
さらに、ボックス本体部２の空間Ｓが尻すぼみ形状に形成されていることで、図示はしないが、ボックス本体部２から天板部６を取り外し、ボックス本体部２のみを複数上下に積層して積み重ねた際に、下側のボックス本体部２の空間Ｓ内に上側のボックス本体部２を挿入することができ、積層高さを抑えて省スペース化を図ることが可能となる。
【００７７】
また、側板部３の手前側を向く面が傾斜面３ｄとなっていることで、フラップボックス１を使用する際、閉塞位置Ｐ１では重力によって開閉蓋部７を傾斜面３ｄに押し付けるようにして保持できる。このため、自動的に開閉蓋部７と側板部３との間に隙間があき、開閉蓋部７が前面開口部ＯＰを開放してしまうことがなくなり、使用性をさらに向上することができる。
【００７８】
以上、本発明の実施形態について詳細を説明したが、本発明の技術的思想を逸脱しない範囲内において、多少の設計変更も可能である。
例えば、フラップボックス１は樹脂製でなくともよく、金属製、木製等であってもよい。そして、レール部１０とボックス本体部２の材質が異なっていてもよい。
【００７９】
また、レール部１０として突出板部１１、前側突出部１２、第一段差面１３、及び第二段差面１４が設けられず、単に側板部３の端面３ａそのものがレール部１０となっていてもよい。即ち、開閉蓋部７が端面３ａ上を摺動することで移動してもよい。また、突出板部１１、前側突出部１２、第一段差面１３、及び第二段差面１４のうちのいずれかが設けられていてもよい。
【００８０】
また、開閉蓋部７には、凹状部２３、及び係止部２２は必ずしも設けられなくともよい。ここで、前側突出部１２及び係止部２２が設けられていない場合には、開閉蓋部７を引き出した際にボックス本体部２から脱落しないよう、前側突出部１２及び係止部２２に相当するストッパ等を設けるとよい。
【００８１】
また、側板部３は必ずしも傾斜面３ｄを有していなくともよい。また、天板部６には必ずしも窪み部６ｂが形成されていなくともよい。
【００８２】
また、ボックス本体部２は、必ずしも矩形箱状をなしていなくともよく、例えば角の無い丸みを帯びた形状をなしていてもよい。
【００８３】
また、フラップボックス１が複数積層されることで、複数段の収納ケースとなっていてもよい。
【００８４】
また、フラップボックス１に限らず、ごみ箱等の他の収納ケースに上述した開閉蓋部７等の構成を適用してもよい。
【符号の説明】
【００８５】
１…フラップボックス（収納ケース）
２…ボックス本体部（本体部）
３…側板部
３ａ…端面
３ｂ…凹部
３ｃ…突出部
３ｄ…傾斜面
４…底板部
５…背板部
５ａ…端面
５ｂ…凹部
６…天板部
６ａ…裏面
６ｂ…窪み部
６ｃ…取手部
７…開閉蓋部
１０…レール部
１１…突出板部
１２…前側突出部
１３…第一段差面
１４…第二段差面
２１…本体板部
２１ａ…裏面
２２…係止部
２３…凹状部
２３ａ…溝
２４…把持部
２５…縁部突出部
３１…前面枠部
３２…上面枠部
３３…上面枠部
４０…支持部
４１…第一支持部
４２…第二支持部
４３…第三支持部
４４…突出片
４５…凹部
Ｐ１…閉塞位置
Ｐ２…開放位置
Ｐ３…中間位置
Ｓ…空間
ＯＰ…前面開口部
Ｄ１…上下方向（立設方向）
Ｄ２…奥行方向
Ｄ３…幅方向
【要約】
【課題】使用性を向上しつつ、耐久性に優れた収納ケースを提供する。
【解決手段】互いに間隔をあけて立設された一対の側板部３と、側板部３同士を接続する底板部４及び背板部５と、を有するボックス本体部２と、一対の側板部３における上方を向く端面３ａと、少なくとも奥行方向Ｄ２の手前側で隙間をあけた状態で、上方から一対の側板部３を覆って、ボックス本体部２とともに前面開口部ＯＰを形成する天板部６と、側板部３の端面３ａに各々設けられたレール部１０と、レール部１０上に載置された状態でレール部１０に対して摺動することで、側板部３の端面３ａと天板部６との間に天板部６の面に沿って配置される開放位置Ｐ２と、前面開口部ＯＰを奥行方向Ｄ２の手前側から覆う閉塞位置Ｐ１との間で移動可能な開閉蓋部７とを備えている。
【選択図】図５【図１】
0005916833.tif 000002
【図２】
0005916833.tif 000003
【図３】
0005916833.tif 000004
【図４】
0005916833.tif 000005
【図５】
0005916833.tif 000006
【図６】
0005916833.tif 000007
【図７】
0005916833.tif 000008
【図８】
0005916833.tif 000009